(57)【要約】【課題】本発明は、目視では印刷画像を視認することができず、もしくは、印刷画像の存在に気付き難い上に、偏光板を重ねると、パターン状の潜像が見え、真偽判定が可能となり、偽造防止性を付与する積層複合体を提供する。特に、個別ＩＤや写真、本人確認等の個別の情報を潜像にすることによって、偽造、変造、改ざんなどの不正行為が困難な積層複合体とその製造方法を提供する。【解決手段】基材上の少なくとも一部に光化学的に配向し得る配向層がパターン状に設けてあり、光配向された前記配向層を被覆するように高分子液晶層を設けてなることを特徴とする積層複合体及びその製造方法である。【選択図】図８
2006139178.tif 000002
【特許請求の範囲】
【請求項１】
基材上の少なくとも一部に光化学的に配向し得る配向層がパターン状に設けてあり、光配向された前記配向層を被覆するように高分子液晶層を設けてなることを特徴とする積層複合体。
【請求項２】
基材上の少なくとも一部に２層以上の光化学的に配光し得る配向層がそれぞれ異なるパターンもしくは同一のパターン状に設けてあり、前記２層以上の配向層のそれぞれの層が異なる角度に光配向された前記配向層を被覆するように高分子液晶層を設けてなることを特徴とする積層複合体。
【請求項３】
前記高分子液晶層上に保護層を設けてあることを特徴とする請求項１又は２記載の積層複合体。
【請求項４】
前記基材が透明材料からなることを特徴とする請求項１乃至３のいずれか１項に記載の積層複合体。
【請求項５】
前記基材が光反射性を持つことを特徴とする請求項１乃至４のいずれか１項に記載の積層複合体。
【請求項６】
前記配向層の下側又は高分子液晶層の上側に回折構造層を設けてなることを特徴とする請求項１乃至５のいずれか１項に記載の積層複合体。
【請求項７】
請求項１乃至６のいずれか１項に記載の積層複合体において、
高分子液晶層の上に反射層を設け、その反射層上にさらに接着層を設けてあり、かつ前記接着層と反対側の基材面に剥離保護層が設けてなることを特徴とする積層複合体。
【請求項８】
前記請求項１乃至６のいずれか１項に記載の積層複合体において、
高分子液晶層を形成した反対側の基材面に粘着層を設けてなることを特徴とする複合積層体。
【請求項９】
基材上の少なくとも一部に光化学的に配向し得る配向層をパターン状に形成し、前記配向層に光配向処理を施し、その光配向された配向層を被覆するように高分子液晶を塗布・乾燥して高分子液晶層を設けることを特徴とする請求項１乃至８のいずれか１項に記載の積層複合体の製造方法。
【請求項１０】
前記配向層をパターン状に印刷形成する印刷方式がインクジェット印刷方式であることを特徴とする請求項９記載の積層複合体の製造方法。
【発明の詳細な説明】
【技術分野】
【０００１】
本発明は、積層複合体およびその製造方法に係わり、偏光板を用いて潜像を見ることを可能にすることによって、潜像を利用した真偽判定を可能とする偽造防止性を情報記録媒体および偽造防止対象物に付与する積層複合体およびその製造方法に関する。特には、パターン状の潜像、個別ＩＤや写真、本人確認等の個別の情報を見ることを可能とする、偽造、変造、改ざんなどの不正行為が困難な積層複合体とその製造方法に関する。
【背景技術】
【０００２】
従来から、クレジットカード、有価証券、及び証明書類のような情報記録媒体の偽造を防止する技術として、潜像を用いた方法が知られている。そのような方法としては、例えば、１）万線の開口部を利用して隠し文字等の潜像を書き込み、万線を隠蔽することにより潜像を可視化する万線画、及び２）フィラーを含有する透明インキメジウムを印刷することにより潜像を形成し、印刷部を鉛筆で擦ることによりその芯の粉を印刷部に付着させて潜像を可視化する鉛筆出し印刷（デコマット）がある。
【０００３】
しかしながら、方法１）及び２）では、潜像は注意深く観察すると解読されてしまう。そのため、これら方法１）及び２）は、本格的な偽造防止技術としてよりは、むしろ遊び用として利用されている。
【０００４】
より本格的な偽造防止技術としては、例えば、３）熱を加えることにより発色する、白色若しくは無色透明の不可逆性感熱発色インキを用いて潜像を形成する方法、及び４）酸化チタンのように金属よりも硬いフィラーを含有させた白色インキを白色紙に印刷して潜像を形成し、印刷部をコイン等で擦ることにより潜像を可視化する方法が知られている。
【０００５】
しかしながら、方法３）は、潜像を可視化するために熱源装置を必要とする。しかも、方法３）では、可視化した潜像を再度不可視化することはできない。また、方法４）では、マット調のニス層を設けることにより文字等は不可視化されるため、可視化した潜像を再度不可視化することはできない。すなわち、方法３）及び４）は、一回限りの用途に限定されている。
【０００６】
潜像の可視化と不可視化とを繰り返し行うことが可能な技術として、例えば、５）熱を加えることにより可逆的に発色若しくは消色し、しばらく放置すると元の状態に戻る可逆性感熱発色インキ（サーモクロミックインキ）を用いて潜像を形成する或いは画像を隠蔽する方法、６）光、特には紫外線を照射することにより発色するフォトクロミックインキを白色若しくは無色透明のインキとして用いて潜像を形成する方法、７）紫外線を照射することにより発光する有機タイプ或いは無機タイプの蛍光インキを白色若しくは無色透明のインキとして用いて潜像を形成する方法が知られている。
【０００７】
しかしながら、方法５）で使用するサーモクロミックインキは、耐性、特に耐熱性が低いという問題がある。また、方法６）で使用するフォトクロミックインキは、耐性、特に耐光性が低いという問題がある。方法７）で有機タイプの蛍光インキを使用する場合、印刷インキ中にごく少量の蛍光体を含有させるだけで十分な発光を実現することができるが、有機蛍光体は耐光性が低いという問題がある。また、方法７）で無機タイプの蛍光インキを使用する場合、十分な発光を実現するためには印刷インキ中に大量の蛍光体を含有させる必要がある（１０〜２０％程度）。そのため、無機タイプの蛍光インキを用いて形成した潜像は目視により解読され易く、したがって、そのデザイン等に工夫を凝らす必要がある。このように、上記方法５）〜７）は、耐性等により用途を制約されている。
【０００８】
また、潜像の可視化と不可視化とを繰り返し行うことが可能な偽造防止技術としては、例えば、８）スクリーンの網点や万線のモアレ（干渉縞）を利用して潜像を形成する方法が知られている。この方法は網点や万線のピッチや角度を部分的に変えて潜像を形成し、この潜像上に整然と配列した網点あるいは万線を有する透明フィルムを重ねることにより潜像を可視化するものである。この方法８）によると、潜像の可視化は透明フィルムを用いることのみで実現されるため、潜像の可視化と不可視化とを容易に及び繰り返し行うことができ、しかも、耐性による用途の制約もない。しかしながら、８）は複雑な潜像を形成することができないという問題を有している。
【０００９】
潜像の可視化と不可視化とを繰り返し行うことが可能な他の偽造防止技術としては、例えば、９）磁性インキを用いて潜像を形成する方法がある。この方法は、磁気記録に充分な保持力（約３０００Ｏｅ以上或いは約２４ｋＡ／ｍ以上）を有する磁性層をパターン状に磁化させることで潜像を形成し、磁性層上に鉄粉を振りかけることにより潜像を可視化するものである。しかしながら、この方法９）では、潜像を書き換えて偽造することが容易であり、しかも、潜像を表示させる工程は複雑であり且つ特別な検出装置を必要とする。
【００１０】
潜像の可視化と不可視化とを繰り返し行うことが可能なさらに他の偽造防止技術としては、例えば、１０）赤外光を吸収するインキを用いて潜像を形成し、この潜像上に可視光を透過せずに赤外光を透過させる層を設ける方法が知られている。しかしながら、この方法は、潜像を可視化するために赤外線カメラ等を必要とし、装置が大掛かりとなるという問題を有している。また、可視領域の光は吸収せずに白色もしくは無色であり且つ赤外領域の光を吸収するインキ（ＩＶインキ）を用いた方法も知られているが、この方法も同様に赤外線カメラ等を必要とする。
【００１１】
これらの方法９）及び１０）によると、潜像の可視化と不可視化とを繰り返し行うこと及び複雑な潜像を形成することができ、潜像の耐性による用途の制約もない。しかしながら、上述のように方法９）および１０）は、潜像の可視化に特別な装置を必要としている。
【００１２】
潜像の可視化と不可視化を繰り返し行うことが可能なさらに他の偽造防止技術としては、例えば、１１）フィルムや液晶層面上に配向、無配向の部分を設け潜像を形成し、偏光板を介してみることで、識別できる方法が知られている。（例えば、特許文献１参照。）しかし、この構成では潜像をパターンにするためには、印刷と乾燥の間に、一部に偏光ＵＶをかけなければならず、マスキング等の複雑な工程が入り、さらに個別ＩＤや写真、本人確認等の個別の情報を入れる場合は、個々に装置の設定が必要となるため困難であるという問題点がある。
【００１３】
以下に特許文献を記す。
【特許文献１】特開平８−４３８０４号公報
【発明の開示】
【発明が解決しようとする課題】
【００１４】
本発明は、上記の問題点に着目してなされたもので、目視では印刷画像を視認することができず、もしくは、印刷画像の存在に気付き難い上に、偏光板を重ねると、パターン状の潜像が見え、真偽判定が可能となり、偽造防止性を付与する積層複合体を提供する。特に、個別ＩＤや写真、本人確認等の個別の情報を潜像にすることによって、偽造、変造、改ざんなどの不正行為が困難な積層複合体とその製造方法を提供する。
【課題を解決するための手段】
【００１５】
上記課題を解決するために、まず、請求項１に記載の発明は、基材上の少なくとも一部に光化学的に配向し得る配向層がパターン状に設けてあり、光配向された前記配向層を被覆するように高分子液晶層を設けてなることを特徴とする積層複合体である。
【００１６】
請求項２に記載の発明は、基材上に少なくとも一部に２層以上の光化学的に配光し得る配向層がそれぞれ異なるパターンもしくは同一のパターン状に設けてあり、前記２層以上の配向層のそれぞれの層が異なる角度に光配向された前記配向層を被覆するように高分子液晶層を設けてなることを特徴とする積層複合体である。
【００１７】
請求項３に記載の発明は、前記高分子液晶層上に保護層を設けてあることを特徴とする請求項１又は２記載の積層複合体である。
【００１８】
請求項４に記載の発明は、前記基材が透明材料からなることを特徴とする請求項１乃至３のいずれか１項に記載の積層複合体である。
【００１９】
請求項５に記載の発明は、前記基材が光反射性を持つことを特徴とする請求項１乃至４のいずれか１項に記載の積層複合体である。
【００２０】
請求項６に記載の発明は、前記配向層の下側又は高分子液晶層の上側に回折構造層が設けてあることを特徴とする請求項１乃至５のいずれか１項に記載の積層複合体である。
【００２１】
請求項７に記載の発明は、請求項１乃至６のいずれか１項に記載の積層複合体において、
高分子液晶層の上に反射層が設け、その反射層上に接着層が設けてあり、かつ前記接着層と反対側の基材面に剥離保護層が設けてなることを特徴とする積層複合体である。
【００２２】
請求項８に記載の発明は、前記請求項１乃至６のいずれか１項に記載の積層複合体において、
高分子液晶層を形成した反対側の基材面に粘着層を設けてなることを特徴とする複合積層体である。
【００２３】
請求項９に記載の発明は、基材上の少なくとも一部に光化学的に配向し得る配向層をパターン状に形成し、前記配向層に光配向処理を施し、その光配向された配向層を被覆するように高分子液晶を塗布・乾燥して高分子液晶層を設けることを特徴とする請求項１乃至８のいずれか１項に記載の積層複合体の製造方法である。
【００２４】
請求項１０に記載の発明は、前記配向層をパターン状に印刷形成する印刷方式がインクジェット印刷方式であることを特徴とする請求項９記載の積層複合体の製造方法である。
【発明の効果】
【００２５】
本発明によれば、配向層がパターン状に設けてあり、その上に液晶層を設けるので、目視では印刷画像を視認することができず、もしくは、印刷画像の存在に気付き難い上に、直線偏光板を当てて見ると、パターン状の潜像を見ることができる。さらに、第１の配向層と第２の配向層がパターン状に印刷してある積層複合体は、異なる方向に配向しているため、直線偏光板を当てて見ると、パターン状の潜像画像を見ることができ、直線偏光板を回転させると、反転した画像や、異なる画像を見ることができる。さらに、配向層をインクジェット印刷にすることによりオンデマンド印刷が可能となり、個別ＩＤや写真、本人確認等の個別の情報を潜像画像として印刷することが容易にできるため、偽造、変造、
改ざんなどの不正行為が困難な積層複合体とその製造方法を提供できる。
【発明を実施するための最良の形態】
【００２６】
以下、図面を用いて本発明の実施形態について説明する。図１は、本発明の積層複合体の一実施例を示す平面図であり、図２は図１の積層複合体に直線偏光板を重ねて見たときの平面図であり、図３は図１の積層複合体のＸ―Ｘ’における断面図であり、図４はその断面の説明図である。また、図５は本発明の積層複合体の一実施例の直線偏光板を図２とは異なる角度で重ねて見たときの平面図であり、図６は図５の積層複合体の断面の説明図である。さらに、図７は本発明の積層複合体の一実施例に直線偏光板を図２、図５とは異なる角度で重ねて見たときの平面図であり、図８は図７の積層複合体の断面の説明図である。図９および図１０は本発明の積層複合体の一実施例を示す断面図である。
【００２７】
図１に示す積層複合体１の平面図において、配向層および高分子液晶層は透明で目視では見ることができず、基材が見える。
【００２８】
基材１１は、ポリエチレンテレフタレート、ポリ塩化ビニル、ポリエステル、ポリカーボネート、ポリメタクリル酸メチル、ポリスチレン等の合成樹脂、天然樹脂のフィルム、合成紙、紙、ガラスなどから単独で選択されたもの、または上記より選択されて組み合わされた複合体等が使用可能である。この基材は、反射性を持っているものが最も好ましいが、光を透過する無延伸のものでも良い。反射性を持っている基材は、反射性を有するものであれば特に限定されるものではなく、各種金属、合金等の蒸着膜、スパッタリング膜等を付与したものを用いることができる。例えば、金属としてＡｌ、Ｃｒ、Ｎｉ、Ｃｕ、Ａｇ等があり、合金としてはＰｔ−Ｒｈ、Ｎｉ−Ｃｒ等がある。
【００２９】
図１の積層複合体に、基材が反射性を持っていないものは上下に、持っているものは上に、直線偏光板を重ねて見ると、高分子液晶層３１の配向部と非配向部の区別ができるため、図２のように高分子液晶層３１の配向部分のみを見ることができ、配向層で印刷したパターンと同様のロゴや写真等の解像度の高い潜像が出現する。
【００３０】
高分子液晶層３１および配向層２１は、通常に塗布した状態では、特定の結晶構造を有していないランダムな分子状態に形成されている。図４のように、高分子液晶層は高分子液晶層の下層の配向層２１が配向している方向に従って配向され、配向層２１は偏向光を照射することにより偏向光の方向に従って配向される。配向層２１は、例えば、特開平６−２８７４５３等で知られる、光反応性エテン基を有する、線状および環状のポリマーまたはオリゴマー等があげられる。
【００３１】
偏光板（フィルム）は、ＰＶＡ延伸フィルムにヨードを吸収させたＰＶＡ−ヨウ素型、二色性染料型、金属または金属化合物含有型、ポリエン型などの高分子結晶型が考えられ、特にＰＶＡ‐ヨウ素型、二色性染料型フィルムが用いられる。
【００３２】
図６に示す積層複合体は、配向層を２層持ち、保護層と粘着層を設け、ステッカーの状態にして、偽造防止付与部材に付与するものである。第１の配向層を印刷後、ある向きの偏向光を照射して配向させてから乾燥し、第２の配向層を印刷後、第１の偏向光とは異なる角度の偏向光を照射し、乾燥することにより、第１の配向層とは別の角度で配向させる。
【００３３】
この積層複合体は、目視では配向層および高分子液晶層は透明で見ることができず基材が見え、ある方向で直線偏光板をかざすと図２のような第２の配向層により配向した高分子液晶層部分のみ見ることができる。この偏光板を回転させ、偏光板の角度を変えてみると、第１の配向層により配向した高分子液晶層の部分のみ見ることができるので、図２の
潜像と反転した図５のような潜像を見ることができる。偏光板を回転させて見たとき、第１の配向層および第２の配向層のパターンによっては、潜像が反転する、もしくは異なる潜像にすることが可能である。
【００３４】
配向層２１は、グラビア印刷法、スクリーン印刷法、ノズルコーター法、フレキソ印刷法等の既知の塗布手段により塗工できるが、インクジェットを代表例とする無版の印刷法によると前記オンデマンド印刷が可能である。配向層は一度偏向光で硬化されると、もう一度角度の異なる偏向光を照射しても、配向の角度は一度目に照射された角度のまま変化しないため、第１の配向層を印刷後、偏向光を照射した後に、第２の配向層を印刷し、異なる角度の偏向光で照射すれば、第２の配向層部分のみ配向の角度を変えることが可能となり、高分子液晶層も配向層の角度に従って配向するため、マスクすることなく、液晶層の配向の角度をパターン状に変えることができる。さらに、配向層を前記無版の印刷法を代表例とするインクジェットでパターン状に印刷すれば、オンデマンド印刷が可能となる。
【００３５】
保護層３２は高分子液晶層を外傷から保護し、また画像形成時の熱圧から画像形成痕による潜像画像の視認を防ぐ役割を持つもので、使用される樹脂としては、例えば、アクリル系樹脂、ウレタン系樹脂、塩化ビニル樹脂‐酢酸ビニル共重合体樹脂、ポリエステル系樹脂、メラミン系樹脂、エポキシ系樹脂、ポリスチレン系樹脂、ポリイミド樹脂等の従来公知の熱可塑性樹脂、熱硬化性樹脂、紫外線または電子線硬化樹脂を単独あるいは、混合して用いられる。さらに、潜像パターンの目視防止のために、樹脂を架橋する硬化剤、ポリエチレンワックス、カルナバワックス、シリコンワックス等のワックス類、或いは炭酸カルシウム、ステアリン酸亜鉛、シリカ、アルミナ、タルク等の体質顔料、シリコーン油脂等の油脂類を透明性を損なわない範囲で添加することができる。この保護層３２に用いる樹脂は、例えば、グラビア印刷法、スクリーン印刷法、ノズルコーター法等の既知の塗布手段およびオフセット印刷法、フレキソ印刷法、インクジェット印刷法等の印刷手段により塗工する。
【００３６】
粘着層３６は、一般的な接着材料を用いることができ、常温で粘着性を持たせたものであってもなくても良い。その材料としては、例えば、アクリル系、ブチルゴム系、天然ゴム系、シリコーン系及びポリイソブチル系等の粘着剤を上げることができる。これら粘着剤には、アルキルメタクリレート、ビニルエステル、アクリルニトリル、スチレン、及びビニルモノマー等の凝集成分、不飽和カルボン酸、ヒドロキシ基含有モノマー、およびアクリルニトリル等に代表される改質成分、重合開始剤、可塑剤、硬化剤、硬化促進剤、及び酸化防止剤等の添加剤を必要に応じて添加することができる。
【００３７】
図８に示す積層複合体は、配向層を３層持ち、保護層と粘着層を設け、ステッカーの状態にして、偽造防止対象物に付与するものである。第１の配向層を印刷後、ある角度の偏向光を照射して配向させ、第２の配向層を印刷後、第１の偏向光とは異なる角度の偏向光を照射して乾燥し、第３の配向層を印刷後、第１および第２の配向層と異なる角度の偏向光を照射することにより、第１、第２および第３の配向層はそれぞれ別の方向に配向される。
【００３８】
この積層複合体は、目視では配向層および高分子液晶層は透明で見ることができず基材が見え、ある方向で直線偏光板を重ねて見ると図２のような第２の配向層により配向した高分子液晶層部分のみ見ることができる。この偏光板を回転させ、偏光板の角度を変えてみると、第１の配向層により配向した高分子液晶層の部分のみ見ることができるので、図２の潜像と反転した図５のような潜像を見ることができる。さらに、別の角度まで偏光板を回転させると、パターン状に印刷した第３の配向層の上で配向した高分子液晶層のみを見ることができるため、異なる潜像をみることができる。
【００３９】
図９に示す積層複合体は、偽造防止付与部材にホットスタンプ、または熱転写方式により付与するものであるため、基材１１側に剥離保護層３７を、基材１１とは反対側に反射層３３および接着層３５を設けた。偽造防止性を付与する対象物に対し、積層複合体を基材１１側からホットスタンプまたは転写ヘッドで加熱および加圧し、接着層３５により対象物に貼り付けられ、剥離保護層３７により基材１１と剥離保護層３７の界面で剥離され、転写される。
【００４０】
接着層３５は、一般的な接着材料を用いることができる。そのような接着材料としては、例えば、塩化ビニル‐酢酸ビニル共重合体、ポリエステル系ポリアミド、並びにアクリル系、ブチルゴム系、天然ゴム系、シリコーン系及びポリイソブチル系等の接着剤を上げることができる。これら接着材料には、アルキルメタクリレート、ビニルエステル、アクリルニトリル、スチレン、及びビニルモノマー等の凝集成分、不飽和カルボン酸、ヒドロキシ基含有モノマー、およびアクリルニトリル等に代表される改質成分、重合開始剤、可塑剤、硬化剤、硬化促進剤、及び酸化防止剤等の添加剤を必要に応じて添加することができる。この粘着層は、例えば、グラビア印刷法、オフセット印刷法、及びスクリーン印刷法等の印刷法並びにバーコート法、グラビア法、及びロールコート法等の既知の塗布方法により形成することができる。
【００４１】
図１０に示す積層複合体は、高分子液晶層の上に回折構造層３４を設けたもので、回折格子に係る微小な凹凸がエンボスされてなるホログラム等エンボス部が設けられている。目視ではホログラム画像を見ることができ、観察する位置、角度によって画像あるいは色が変化して観察される。さらに、偏光板をかざして見ることにより、ホログラム画像が遮断され、潜像が見える。
【００４２】
回折構造層３４は、高分子液晶層３１の上でも配向層の下でも良く、配向層と高分子液晶層の間でなければ良い。また、回折構造層の画像をより見やすくするために金属薄膜層を設けても良い。金属箔膜層は真空蒸着法もしくはスパッタリング法にて形成する。
【００４３】
以下、本発明の具体的な実施例について説明する。
【実施例】
【００４４】
厚さ５０μｍのＰＥＴ基材上にＡｌを真空蒸着法にて約６０ｎｍの金属膜を成膜して金属反射層を形成した。その上に、第１の配向層をグラビア法を用いて印刷し、オーブンで乾燥後、偏向ＵＶ光で硬化した。その上に第２の配向層をインクジェット印刷法を用いて、パターン状に印刷しオーブンで乾燥後、第１の偏向光と４５度異なる角度で偏向ＵＶ光を照射した。その後、高分子液晶インキをグラビア法を用いて印刷し、乾燥後ＵＶ光を照射し、積層複合体を得た。その上に、下記に示す保護層の組成からなる保護層用インキをオフセット印刷法にて約３μｍ塗布して保護層を形成し、積層複合体を得た。
【００４５】
［保護層の組成］
アンカーメジウム（ＦＤＳメジウムＴＰロ：東洋インキ製造（株）製）
１００重量部
トップコートニス（マットＯＰニス３Ｈ：（株）Ｔ＆Ｋ  ＴＯＫＡ（株）製
１００重量部
得られた積層複合体は、目視では潜像画像が全く視認できず、アルミ層が見えているが、直線偏光板を重ねて見るとパターン状の潜像を見ることができ、直線偏光板を回転させると、反転した潜像画像を見ることができ、良好な潜像を有する画像形成媒体を得た。潜像を利用した情報記録媒体の真偽を判定するのに用いられ得る積層複合体、及びその製造方法を提供することができる。
【図面の簡単な説明】
【００４６】
【図１】本発明による積層複合体の一実施例を示す平面図である。
【図２】本発明による一実施例としての積層複合体に偏光板をかざして見たときの平面図である。
【図３】本発明による積層複合体の一実施例を示す断面図である。
【図４】本発明による積層複合体の一実施例を示す断面図である。
【図５】本発明による一実施例としての積層複合体に直線偏光板をかざして見たときの平面図である。
【図６】本発明による積層複合体の一実施例を示す断面図である。
【図７】本発明による一実施例としての積層複合体に直線偏光板をざして見たときの平面図である。
【図８】本発明による積層複合体の一実施例を示す断面図である。
【図９】本発明による積層複合体の一実施例を示す断面図である。
【図１０】本発明による積層複合体の一実施例を示す断面図である。
【符号の説明】
【００４７】
１  積層複合体
２  積層複合体付与部材
３  直線偏光板
１１  基材
２１  第１の配向層
２２  第２の配向層
２３  第３の配向層
３１  高分子液晶層
３２  保護層
３３  反射層
３４  回折構造層
３５  接着層
３６  粘着層
３７  剥離保護層
【図１】
2006139178.tif 000003
【図２】
2006139178.tif 000004
【図３】
2006139178.tif 000005
【図４】
2006139178.tif 000006
【図５】
2006139178.tif 000007
【図６】
2006139178.tif 000008
【図７】
2006139178.tif 000009
【図８】
2006139178.tif 000010
【図９】
2006139178.tif 000011
【図１０】
2006139178.tif 000012